(57)【特許請求の範囲】
【請求項１】
情報端末であって、
通信手段と、
前記通信手段を制御するための制御手段とを備え、
前記制御手段は、
前記通信手段を用いて、他の端末との通信経路を確立するように構成されており、
前記通信手段は、
前記他の端末の周辺に位置する画像処理装置の宛先を含む装置情報を受信し、
前記他の端末の周辺に位置する画像処理装置の前記装置情報を、前記情報端末の周辺に位置する画像処理装置に送信するように構成され、
前記他の端末から複数の画像処理装置の前記装置情報を受信した場合、複数の画像処理装置のそれぞれの前記装置情報と、前記複数の画像処理装置の優先順位とを、前記情報端末の周辺に位置する画像処理装置に送信するように構成されており、
前記優先順位は、前記他の端末と画像処理装置との距離、および、前記他の端末に関連付けられた画像処理装置の使用頻度の、少なくとも一方に基づく、情報端末。
【請求項２】
前記通信手段は、
前記情報端末の周辺に位置する画像処理装置から前記装置情報を受信し、前記他の端末に前記情報端末の周辺に位置する前記装置情報を送信するように構成されており、
前記他の端末との通信経路が確立したときに、前記他の端末に、前記情報端末の周辺に位置する前記装置情報を送信するように構成されている、請求項１に記載の情報端末。
【請求項３】
前記制御手段は、
前記情報端末もしくは前記情報端末に関連付けられた対象が第１の画像処理装置の周辺に位置していること、または、前記情報端末に関連付けられた対象が前記第１の画像処理装置を操作したことを検知するように構成されており、
前記通信手段は、
前記制御手段が、前記情報端末もしくは前記情報端末に関連付けられた対象が第１の画像処理装置の周辺に位置していること、または、前記情報端末に関連付けられた対象が前記第１の画像処理装置を操作したことを検知した場合に、前記第１の画像処理装置に、前記他の端末の周辺に位置する画像処理装置の前記装置情報を送信するように構成されている、請求項１または請求項２に記載の情報端末。
【請求項４】
入力を受け付けるための操作手段をさらに備え、
前記制御手段は、装置情報を転送するための指示が前記操作手段に入力された場合に、前記他の端末に、前記情報端末の周辺に位置する前記装置情報を送信するように構成されている、請求項１に記載の情報端末。
【請求項５】
画像処理システムであって、
情報端末と、前記情報端末の周辺に位置する第１の画像処理装置とを備え、
前記情報端末は、
通信手段と、前記通信手段を制御するための制御手段とを含み、
前記制御手段は、
前記通信手段を用いて、他の端末との通信経路を確立するように構成されており、
前記通信手段は、
前記他の端末の周辺に位置する第２の画像処理装置の宛先を含む装置情報を受信し、
前記第２の画像処理装置の前記装置情報を、前記第１の画像処理装置に送信するように構成されており、
前記装置情報は、前記第２の画像処理装置が取り扱うデータの種類を特定する情報を含み、
前記第１の画像処理装置は、
入力を受け付けるための入力手段と、
前記入力手段が前記第２の画像処理装置にデータを送信する指示を受け付けた場合に、送信されるデータの種類が、前記第２の画像処理装置が取り扱うデータの種類に含まれない場合には、前記情報端末へ、前記指示によって送信されるデータを前記第２の画像処理装置が取り扱う種類のデータに変換した後で前記第２の画像処理装置へ送信する指示を送信するための送信手段とをさらに含む、画像処理システム。
【請求項６】
画像処理システムであって、
情報端末と、前記情報端末の周辺に位置する第１の画像処理装置とを備え、
前記情報端末は、
通信手段と、前記通信手段を制御するための制御手段とを含み、
前記制御手段は、
前記通信手段を用いて、他の端末との通信経路を確立するように構成されており、
前記通信手段は、
前記他の端末の周辺に位置する第２の画像処理装置の宛先を含む装置情報を受信し、
前記第２の画像処理装置の前記装置情報を、前記第１の画像処理装置に送信するように構成されており、
前記第２の画像処理装置は、複数の画像処理装置を含み、
前記装置情報は、前記複数の画像処理装置の取り扱うデータの種類と優先順位とを含み、
前記第１の画像処理装置は、
画像のデータを生成するための生成手段と、
前記複数の画像処理装置のそれぞれを、前記生成手段によって生成されるデータの送信先の候補として表示するための表示手段と、
前記複数の画像処理装置のそれぞれの優先順位を調整するための調整手段とを含み、
前記調整手段は、前記生成手段によって生成されるデータの種類を含まない前記装置情報に対応する前記第２の画像処理装置の優先順位が、前記生成手段によって生成されるデータの種類を含む前記装置情報に対応する前記第２の画像処理装置の優先順位よりも低くなるように、前記複数の画像処理装置の優先順位を調整するように構成されている、画像処理システム。
【請求項７】
通信手段を備える情報端末のコンピューターによって実行されるプログラムであって、
前記プログラムは、前記コンピューターに、
前記通信手段を用いて、他の端末との通信経路を確立するステップと、
前記他の端末の周辺に位置する画像処理装置の宛先を含む装置情報を受信するステップと、
前記他の端末の周辺に位置する画像処理装置の前記装置情報を、前記情報端末の周辺に位置する画像処理装置に送信するステップとを実行させ、
前記装置情報を送信するステップは、前記他の端末から複数の画像処理装置の前記装置情報を受信した場合、複数の画像処理装置のそれぞれの前記装置情報と、前記複数の画像処理装置の優先順位とを、前記情報端末の周辺に位置する画像処理装置に送信することを含み、
前記優先順位は、前記他の端末と画像処理装置との距離、および、前記他の端末に関連付けられた画像処理装置の使用頻度の、少なくとも一方に基づく、プログラム。
【発明の詳細な説明】
【技術分野】
【０００１】
本開示は、情報端末、画像処理システム、および、プログラムに関し、特に、他の端末と通話する機能を有する情報端末、当該情報端末を含む画像処理システム、および、当該情報端末において実行されるプログラムに関する。
【背景技術】
【０００２】
従来、ＭＦＰ（Multi-Functional  Peripheral）等の画像処理装置が情報端末と通信する方法に関し、種々の技術が提案されている。たとえば、特開２００７−０１９６６０号公報（特許文献１）は、ＭＦＰ（Multi-Functional  Peripheral）にユーザーの宛先と当該宛先に関連付けられたデータの処理方法とを登録し、ＭＦＰにデータが登録されると、当該データについて指定された宛先に関連付けられた方法で当該データを処理する、データ処理システムを開示する。
【０００３】
特開２０１２−０８５０８６号公報（特許文献２）は、無線通信装置を備えた画像処理装置（印刷装置）が接続先候補となる装置を検索するための方法を開示している。特開２００４−２４６４７２号公報（特許文献３）は、画像処理装置（プリンター）が、他のネットワークのファイルサーバーに蓄積されたデータを印刷するための方法を開示している。特開２０１５−０２３３４２号公報（特許文献４）は、情報端末が当該情報端末の近傍（同一室内）に位置する画像処理装置を検索するための技術を開示している。特開２０１３−１０９７３３号公報（特許文献５）は、情報端末が一定距離以内に位置する画像処理装置（印刷装置）を検索するための技術を開示している。
【先行技術文献】
【特許文献】
【０００４】
【特許文献１】特開２００７−０１９６６０号公報
【特許文献２】特開２０１２−０８５０８６号公報
【特許文献３】特開２００４−２４６４７２号公報
【特許文献４】特開２０１５−０２３３４２号公報
【特許文献５】特開２０１３−１０９７３３号公報
【発明の概要】
【発明が解決しようとする課題】
【０００５】
近年の情報端末には、他の情報端末と通話するためのアプリケーションを搭載しているものがある。ユーザーは、情報端末で、他の情報端末のユーザーと通話しているとき、当該他の情報端末のユーザーに文書を送信することを希望する場合がある。そのような場合、ユーザーは、煩雑な作業を必要とされる。すなわち、ユーザーは、たとえば、画像形成装置で文書をスキャンすることによりデータを生成し、画像形成装置から情報端末へ当該データを送信し、情報端末から通話相手の端末へ当該データを送信する。
【０００６】
一方、通話相手の端末では、通常、ユーザーは、端末が上記データを受信しても、通話を維持させながら上記データの文書を閲覧することは難しい。ユーザーは、通常、当該文書を閲覧するために通話を中断する必要がある。たとえば、端末が上記データを受信すると、ユーザーは、一旦通話を中断させて、当該端末から画像処理装置へデータを送信し、当該画像処理装置で文書を出力させた後、通話に戻る。
【０００７】
本開示は、係る実情に鑑み考え出されたものであり、その目的は、ユーザーが情報端末を用いて通話をしているときに、通話を中断させることなく、データの送信および送信されたデータの閲覧をできるようにすることである。
【課題を解決するための手段】
【０００８】
ある局面に従うと、情報端末が提供される。情報端末は、通信手段と、通信手段を制御するための制御手段とを備え、制御手段は、通信手段を用いて、他の端末との通信経路を確立するように構成されており、通信手段は、他の端末の周辺に位置する画像処理装置の宛先を含む装置情報を受信し、他の端末の周辺に位置する画像処理装置の装置情報を、情報端末の周辺に位置する画像処理装置に送信するように構成され、他の端末から複数の画像処理装置の装置情報を受信した場合、複数の画像処理装置のそれぞれの装置情報と、複数の画像処理装置の優先順位とを、情報端末の周辺に位置する画像処理装置に送信するように構成されており、優先順位は、他の端末と画像処理装置との距離、および、他の端末に関連付けられた画像処理装置の使用頻度の、少なくとも一方に基づく。
【０００９】
好ましくは、通信手段は、情報端末の周辺に位置する画像処理装置から装置情報を受信し、他の端末に情報端末の周辺に位置する装置情報を送信するように構成されており、他の端末との通信経路が確立したときに、他の端末に、情報端末の周辺に位置する装置情報を送信するように構成されている。
【００１１】
好ましくは、制御手段は、情報端末もしくは情報端末に関連付けられた対象が第１の画像処理装置の周辺に位置していること、または、情報端末に関連付けられた対象が第１の画像処理装置を操作したことを検知するように構成されており、通信手段は、制御手段が、情報端末もしくは情報端末に関連付けられた対象が第１の画像処理装置の周辺に位置していること、または、情報端末に関連付けられた対象が第１の画像処理装置を操作したことを検知した場合に、第１の画像処理装置に、他の端末の周辺に位置する画像処理装置の装置情報を送信するように構成されている。
【００１２】
好ましくは、情報端末は、入力を受け付けるための操作手段をさらに備え、制御手段は、装置情報を転送するための指示が操作手段に入力された場合に、他の端末に、情報端末の周辺に位置する装置情報を送信するように構成されている。
【００１３】
本開示の他の局面に従うと、画像処理システムが提供される。画像処理システムは、情報端末と、情報端末の周辺に位置する第１の画像処理装置とを備え、情報端末は、通信手段と、通信手段を制御するための制御手段とを含み、制御手段は、通信手段を用いて、他の端末との通信経路を確立するように構成されており、通信手段は、他の端末の周辺に位置する第２の画像処理装置の宛先を含む装置情報を受信し、第２の画像処理装置の装置情報を、第１の画像処理装置に送信するように構成されている。
【００１４】
装置情報は、第２の画像処理装置が取り扱うデータの種類を特定する情報を含み、第１の画像処理装置は、入力を受け付けるための入力手段と、入力手段が第２の画像処理装置にデータを送信する指示を受け付けた場合に、送信されるデータの種類が、第２の画像処理装置が取り扱うデータの種類に含まれない場合には、情報端末へ、指示によって送信されるデータを第２の画像処理装置が取り扱う種類のデータに変換した後で第２の画像処理装置へ送信する指示を送信するための送信手段とをさらに含む。
【００１５】
本開示のさらに他の局面に従うと、画像処理システムが提供される。画像処理システムは、情報端末と、情報端末の周辺に位置する第１の画像処理装置とを備え、情報端末は、通信手段と、通信手段を制御するための制御手段とを含み、制御手段は、通信手段を用いて、他の端末との通信経路を確立するように構成されており、通信手段は、他の端末の周辺に位置する第２の画像処理装置の宛先を含む装置情報を受信し、第２の画像処理装置の装置情報を、第１の画像処理装置に送信するように構成されており、第２の画像処理装置は、複数の画像処理装置を含み、装置情報は、複数の画像処理装置の取り扱うデータの種類と優先順位とを含み、第１の画像処理装置は、画像のデータを生成するための生成手段と、複数の画像処理装置のそれぞれを、生成手段によって生成されるデータの送信先の候補として表示するための表示手段と、複数の画像処理装置のそれぞれの優先順位を調整するための調整手段とを含み、調整手段は、生成手段によって生成されるデータの種類を含まない装置情報に対応する第２の画像処理装置の優先順位が、生成手段によって生成されるデータの種類を含む装置情報に対応する第２の画像処理装置の優先順位よりも低くなるように、複数の画像処理装置の優先順位を調整するように構成されている。
【００１６】
本開示のさらに他の局面に従うと、通信手段を備える情報端末のコンピューターによって実行されるプログラムが提供される。プログラムは、コンピューターに、通信手段を用いて、他の端末との通信経路を確立するステップと、他の端末の周辺に位置する画像処理装置の宛先を含む装置情報を受信するステップと、他の端末の周辺に位置する画像処理装置の装置情報を、情報端末の周辺に位置する画像処理装置に送信するステップとを実行させる。装置情報を送信するステップは、他の端末から複数の画像処理装置の装置情報を受信した場合、複数の画像処理装置のそれぞれの装置情報と、複数の画像処理装置の優先順位とを、情報端末の周辺に位置する画像処理装置に送信することを含み、優先順位は、他の端末と画像処理装置との距離、および、他の端末に関連付けられた画像処理装置の使用頻度の、少なくとも一方に基づく。
【発明の効果】
【００１７】
本開示によれば、情報端末は、通話等のために、他の端末との間で通信経路を確立し、当該他の端末の周辺に位置する画像処理装置の宛先を含む装置情報を受信し、当該情報端末の周辺に位置する画像処理装置へ当該装置情報を送信する。これにより、上記情報端末のユーザーは、通話を中断することなく、その周辺に位置する画像処理装置を用いて、他の端末のユーザーへ、文書のデータを送信できる。上記他の端末のユーザーは、通話を中断することなく、その周辺に位置する画像処理装置に上記データを出力させて、当該データの文書を閲覧できる。
【図面の簡単な説明】
【００１８】
【図１】画像処理システムの概略的な構成の一例を示す図である。
【図２】第１の実施の形態の画像処理システムの動作の一例を模式的に示す図である。
【図３】第１の実施の形態の第２のＭＦＰが表示する画面の一例を示す図である。
【図４】ＭＦＰ（ＭＦＰおよびＭＦＰの総称）のハードウェア構成を示す図である。
【図５】情報端末のハードウェア構成の一例を示す図である。
【図６】ＭＦＰの機能的構成の一例を示す図である。
【図７】情報端末の機能的構成の一例を示す図である。
【図８】情報端末において、ＭＦＰ情報を通話相手に送信するために実行される処理の一例のフローチャートである。
【図９】図８の処理の変形例のフローチャートである。
【図１０】図８の処理の変形例のフローチャートである。
【図１１】情報端末において、通話中に表示される画面の一例を示す図である。
【図１２】第６の実施の形態の画像処理システムの概略的な構成の一例を示す図である。
【図１３】第６の実施の形態のＭＦＰの機能的構成の一例を示す図である。
【図１４】第６の実施の形態において、ＭＦＰ情報を受信したＭＦＰが表示する画面の一例を示す図である。
【図１５】第６の実施の形態の情報端末の機能的構成の一例を示す図である。
【図１６】第６の実施の形態の情報端末において実行される処理の一例のフローチャートである。
【図１７】第７の実施の形態のＭＦＰにおいて、情報端末からＭＦＰ情報が送信されたときに実行される処理の一例のフローチャートである。
【発明を実施するための形態】
【００１９】
以下に、図面を参照しつつ、情報端末および当該情報端末を含む画像処理システムの実施の形態について説明する。以下の説明では、同一の部品および構成要素には同一の符号を付してある。それらの名称および機能も同じである。したがって、それらの説明は繰り返さない。
【００２０】
［第１の実施の形態］
＜１．画像処理システムの概要＞
図１は、画像処理システムの概略的な構成の一例を示す図である。図１の画像処理システムでは、第１の情報端末３００Ａは、第２の情報端末３００Ｂとの間で通信経路が確立しているときに、第２の情報端末３００Ｂへ、当該第１の情報端末３００Ａの周辺に位置する第１のＭＦＰ２００Ａの宛先を含むＭＦＰ情報を送信する。第２の情報端末３００Ｂは、当該第２の情報端末３００Ｂの周辺に位置する第２のＭＦＰ２００へ、第１の情報端末３００Ａから受信したＭＦＰ情報を転送する。
【００２１】
これにより、たとえば、第１の情報端末３００Ａを利用する第１のユーザー１００Ａは、第２の情報端末３００Ｂを利用する第２のユーザー１００Ｂとの間で通話中に、第２のユーザー１００Ｂが第２のＭＦＰ２００Ｂから送信したデータを、第１のＭＦＰ２００Ａで受信する。
【００２２】
以下、図１の画像処理システムにおいて実行される処理を、より具体的に説明する。
画像処理システムでは、第１の空間ＳＰ１に、第１のユーザー１００Ａと、第１の情報端末３００Ａと、第１のＭＦＰ２００Ａとが位置する。第１のユーザー１００Ａは第１の情報端末３００Ａを利用し、第１のＭＦＰ２００Ａは第１の情報端末３００Ａの周辺に位置する。
【００２３】
「周辺に位置すること」の一例は、たとえばＢｌｕｅｔｏｏｔｈ（登録商標）等の近距離通信が確立されることである。他の例は、予め定められた距離の範囲内に位置することである。さらに他の例は、第１の情報端末３００Ａにおいて、当該第１の情報端末３００Ａにおいて「周辺に位置する」装置として登録されていることである。
【００２４】
第２の空間ＳＰ２に、第２のユーザー１００Ｂと、第２の情報端末３００Ｂと、第２のＭＦＰ２００Ｂとが位置する。第２のユーザー１００Ｂは第２の情報端末３００Ｂを利用し、第２のＭＦＰ２００Ｂは第２の情報端末３００Ｂの周辺に位置する。
【００２５】
本明細書において、第１のＭＦＰ２００Ａと第２のＭＦＰ２００Ｂとは、共通する構成について言及される場合、ＭＦＰ２００と総称される場合がある。第１の情報端末３００Ａと第２の情報端末３００Ｂとは、共通する構成について言及される場合、情報端末３００と総称される場合がある。
【００２６】
図２は、図１の画像処理システムにおいて実行される処理をより具体的に説明するための図である。図２では、状態（１）〜状態（３）として、図１の画像処理システムにおける各要素の動作の一例が模式的に示されている。図２において、状態（１）として示されるように、第１の情報端末３００Ａは、第２の情報端末３００Ｂとの通話中に、たとえば無線通信によって、第１のＭＦＰ２００Ａから当該第１のＭＦＰ２００Ａに関する情報であるＭＦＰ情報を受信する。ＭＦＰ情報は、ＭＦＰの宛先（たとえば、ＩＰ（Internet  Protocol）アドレス）を含む。その後、第１の情報端末３００Ａは、通話中に、第２の情報端末３００Ｂに、第１のＭＦＰ２００ＡのＭＦＰ情報を送信する。以下、第１のＭＦＰ２００ＡのＭＦＰ情報を、「第１のＭＦＰ情報」と称する。
【００２７】
第２の情報端末３００Ｂは、第１の情報端末３００Ａから第１のＭＦＰ情報を受信すると、状態（２）として示されるように、当該第１のＭＦＰ情報を、第２のＭＦＰ２００Ｂへ転送する。第２のＭＦＰ２００Ｂは、第２の情報端末３００Ｂの周辺に位置する。第２の情報端末３００Ｂは、たとえば無線通信によって、第２のＭＦＰ２００Ｂへ第１のＭＦＰ情報を送信する。
【００２８】
状態（３）として示されるように、第２のユーザー１００Ｂは、第２のＭＦＰ２００Ｂに、データの送信を指示する。第２のＭＦＰ２００Ｂは、状態（２）において、第１のＭＦＰ情報として、第１のＭＦＰ２００Ａの宛先を取得している。したがって、第２のユーザー１００Ｂは、第２のＭＦＰ２００Ｂを用いて、第１のＭＦＰ２００Ａへ、データを送信できる。
【００２９】
第２のＭＦＰ２００Ｂから第１のＭＦＰ２００Ａへのデータの送信について、図３を参照してより具体的に説明する。図３は、第１の実施の形態の第２のＭＦＰ２００Ｂが表示する画面の一例を示す図である。
【００３０】
たとえば、第２のＭＦＰ２００Ｂは、原稿のコピーを指示されると、図３の画面９００を表示する。画面９００は、コピーされた画像の出力先の指定を受付けるための表示欄９０５を含む。表示欄９０５は、出力先の候補として、「ＭＦＰ２００Ｂ」を示すボタン９０１と、「ＭＦＰ２００Ａ」を示すボタン９０２とを表示する。ボタン９０１は、当該ボタン９０１を表示しているＭＦＰ２００Ｂ自体を示す。このため、ボタン９０１は、「本ＭＦＰ」という文字列を含む。
【００３１】
出力先として第１のＭＦＰ２００Ａが指定され、その後、ＯＫボタン９０９が操作されると、第２のＭＦＰ２００Ｂは、セットされた原稿をスキャンすることにより、画像データを生成する。その後、第２のＭＦＰ２００Ｂは、生成されたデータを、第１のＭＦＰ２００Ａへ送信する。
【００３２】
＜２．ＭＦＰ２００のハードウェア構成＞
図４は、ＭＦＰ２００（ＭＦＰ２００ＡおよびＭＦＰ２００Ｂの総称）のハードウェア構成を示す図である。図４に示されるように、ＭＦＰ２００は、主な構成要素として、ＣＰＵ２０１と、ＲＯＭ（Read  Only  Memory）２０２と、ＲＡＭ（Random  Access  Memory）２０３と、ＮＶ（Non-Volatile）−ＲＡＭ２０４と、記憶装置２０５と、ネットワークカード２０６と、操作パネル２０７と、スキャナー部２０８と、プリンター部２０９と、ファクシミリ（ＦＡＸ）部２１０と、近距離通信部２１１とを備えている。ＭＦＰ２００内の各要素は、互いに内部バスで接続されている。
【００３３】
ＣＰＵ２０１は、ＭＦＰ２００の動作を統括的に制御するための処理を実行するプロセッサーの一例である。本明細書では、ＣＰＵ２０１が所与のプログラムを実行することによって実現される制御の内容が、ＭＦＰ２００によって実行される制御として記述され得る。
【００３４】
ＲＯＭ２０２は、各種のデータおよび／またはＣＰＵ２０１によって実行されるプログラムを格納する。
【００３５】
ＲＡＭ２０３およびＮＶ−ＲＡＭ２０４は、ＣＰＵ２０１におけるプログラム実行時のワークエリアとして機能する。ＲＡＭ２０３および／またはＮＶ−ＲＡＭ２０４は、スキャナー部２０８で読み取られた画像データ等を一時的に保存する場合もある。
【００３６】
記憶装置２０５は、ＭＦＰ２００に登録されている宛先情報やドキュメントなどの各種のデータを保存する。ドキュメントのデータは、ネットワークを介してＭＦＰ２００に入力される場合もあれば、スキャナー部２０８で画像が読み取られることによって生成される場合もある。
【００３７】
ネットワークカード２０６は、ＭＦＰ２００が、他の機器と通信するためにネットワーク（たとえば、ＬＡＮ（Local  Area  Network））に接続するときに利用される、通信インターフェースの一例である。
【００３８】
操作パネル２０７は、生成されるデータの画質の設定、出力される用紙の設定、生成されたデータの送信先の登録および選択、などの情報の入力操作を受け付ける。操作パネル２０７の表面には、たとえばタッチパネルが積層された液晶表示部が設けられている。操作パネル２０７は、たとえばＭＦＰ２００における設定内容を表示する。
【００３９】
スキャナー部２０８は、セットされた原稿をスキャンし、原稿の画像データ（単に、「データ」ともいう）を生成する。
【００４０】
プリンター部２０９は、たとえば電子写真方式により、データに対応する画像を、印刷用紙上に形成する。プリンター部２０９は、たとえばトナーで印刷用紙上に画像を形成する。
【００４１】
ＦＡＸ部２１０は、ファクシミリ通信により、画像データを送受信する。
近距離通信部２１１は、ＭＦＰ２００が、たとえばＢｌｕｅｔｏｏｔｈ（登録商標）等の規格に従って他の機器と無線通信するための、インターフェースである。
【００４２】
ＭＦＰ２００では、ＣＰＵ２０１によって実行されるプログラムは、上記したようにＲＯＭ２０２に格納されている代わりに、記憶装置２０５に格納されていてもよいし、ＭＦＰ２００に対して着脱可能な記憶媒体に格納されていてもよい。当該プログラムが格納される記憶媒体は、不揮発的にデ ータを格納する。当該記憶媒体は、たとえば、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリー、メモリーカード、ＦＤ（Flexible  Disk）、ハードディスク、ＳＳＤ（Solid  State  Drive）、磁気テープ、カセットテープ、ＭＯ（Magnetic  Optical  Disc）、ＭＤ（Mini  Disc）、ＩＣ（Integrated  Circuit）カード（メモリーカードを除く）、光カード、マスクＲＯＭ、ＥＰＲＯＭ、ＥＥＰＲＯＭ（Electronically  Erasable  Programmable  Read-Only  Memory）である。
【００４３】
＜３．情報端末３００のハードウェア構成＞
図５は、情報端末３００のハードウェア構成の一例を示す図である。
【００４４】
図５に示されるように、情報端末３００は、主な構成要素として、ＣＰＵ３０１と、ＲＡＭ３０２と、記憶装置３０３と、マイクロフォン（マイク）３０４と、スピーカー３０５と、ディスプレイ３０６と、入力装置３０７と、無線ＬＡＮインターフェース３０８と、近距離通信部３０９とを備えている。情報端末３００内の各要素は、互いに内部バスで接続されている。
【００４５】
ＣＰＵ３０１は、情報端末３００の全体的な動作を制御するための処理を実行するプロセッサーの一例である。本明細書では、ＣＰＵ３０１が所与のプログラムを実行することによって実現される制御の内容が、情報端末３００によって実行される制御として記述され得る。
【００４６】
ＲＡＭ３０２は、ＣＰＵ３０１における処理実行時のワークエリアとして機能する。
記憶装置３０３は、ＣＰＵ３０１が実行するＯＳ（Operation  System）やブラウザーアプリケーションなどの各種のプログラム、および、プログラムの実行に利用される各種のデータを不揮発的に格納する。記憶装置３０３は、たとえば、ＣＤ−ＲＯＭ、ＤＶＤ−ＲＯＭ、ＵＳＢメモリー、メモリーカード、ＦＤ、ハードディスク、ＳＳＤ、磁気テープ、カセットテープ、ＭＯ、ＭＤ、ＩＣカード（メモリーカードを除く）、光カード、マスクＲＯＭ、ＥＰＲＯＭ、ＥＥＰＲＯＭである。記憶装置３０３には、ネットワークを介してダウンロードされたプログラムがインストールされる場合も有り得る。
【００４７】
マイク３０４は、入力された音声を、ＣＰＵ３０１へ出力する。
スピーカー３０５は、ＣＰＵ３０１からの指示に従って、音声を出力する。
【００４８】
ディスプレイ３０６は、ＣＰＵ３０１によって実行されるプログラムの処理結果を示す画像を表示する。
【００４９】
入力装置３０７は、入力操作を受け付ける。入力装置３０７は、たとえば、ハードウェアボタン、および／または、ディスプレイ３０６上に配置されたタッチセンサーである。
【００５０】
無線ＬＡＮインターフェース３０８は、情報端末３００が、他の機器との通信のためにネットワークに接続するときの、通信インターフェースである。
【００５１】
近距離通信部３０９は、情報端末３００が、たとえばＢｌｕｅｔｏｏｔｈ（登録商標）等の規格に従って他の機器と無線通信するための、インターフェースである。
【００５２】
＜４．ＭＦＰ２００の機能的構成＞
図６は、ＭＦＰ２００の機能的構成の一例を示す図である。図６に示されるように、ＭＦＰ２００は、データ生成部２９１と、表示部２９２と、入力部２９３と、認証部２９４と、指示部２９５とを含む。
【００５３】
データ生成部２９１は、原稿の画像データを生成し、たとえばスキャナー部２０８によって実現される。
【００５４】
表示部２９２は、情報を表示し、たとえば、操作パネル２０７のディスプレイとＣＰＵ２０１とによって実現される。
【００５５】
入力部２９３は、情報の入力操作を受け付け、たとえば操作パネル２０７のタッチセンサーによって実現される。
【００５６】
認証部２９４は、他の機器の認証を実行し、たとえばＣＰＵ２０１によって実現される。ＣＰＵ２０１は、一部の情報を、たとえば、認証部２９４によって認証された機器との間でのみ送受信する。一例では、ＣＰＵ２０１は、認証されたサイト（記憶装置）に格納されたＷｅｂページのみを、操作パネル２０７に表示する。他の例では、ＣＰＵ２０１は、認証された通信機器にのみ、データ生成部２９１によって生成されたデータを送信する。さらに他の例では、ＣＰＵ２０１は、認証された通信機器から受信した場合にのみ、当該装置から受信したデータの画像をプリンター部２０９で印刷する。
【００５７】
指示部２９５は、情報端末３００に対して、予め定められた処理を指示し、たとえばＣＰＵ２０１によって実現される。認証部２９４と指示部２９５とは、同一のアプリケーションプログラムの実行によって実現されていてもよいし、別々のアプリケーションプログラムの実行によって実現されてもよい。
【００５８】
＜５．情報端末３００の機能的構成＞
図７は、情報端末３００の機能的構成の一例を示す図である。図７に示されるように、情報端末３００は、通話部３９１と、取得部３９２と、受信部３９３と、転送部３９４と、操作部３９５と、検知部３９６と、認証部３９７とを含む。
【００５９】
通話部３９１は、他の情報端末との間で通信経路を確立し、たとえば、ＣＰＵ３０１と無線ＬＡＮインターフェース３０８とによって実現される。確立された通信経路を利用した通信の一例は、通話アプリケーションの実行である。当該通信は、電話回線を利用したものであってもよいし、データ回線を利用したものであってもよい。
【００６０】
本明細書では、確立された通信経路を利用した通信の具体例として、通話アプリケーションの実行が、主に説明される。確立された通信経路を利用した通信は、チャット等の、音声を利用しない通信であってもよい。
【００６１】
取得部３９２は、ＭＦＰ２００から、ＭＦＰ情報を取得し、他の情報端末３００へ当該ＭＦＰ情報を送信する。取得部３９２は、たとえば、無線ＬＡＮインターフェース３０８によって実現される。
【００６２】
受信部３９３は、他の情報端末からＭＦＰ情報を受信し、たとえば、無線ＬＡＮインターフェース３０８によって実現される。
【００６３】
転送部３９４は、受信部３９３が受信したＭＦＰ情報を、情報端末３００の周辺に位置するＭＦＰ２００へ転送し、たとえば、無線ＬＡＮインターフェース３０８によって実現される。
【００６４】
操作部３９５は、入力操作を受け付け、たとえば、入力装置３０７によって実現される。
【００６５】
検知部３９６は、情報端末３００の周辺にＭＦＰ２００が位置することを検知し、たとえば、近距離通信部３０９とＣＰＵ３０１によって実現される。検知部３９６は、情報端末３００に関連付けられた対象（たとえば、情報端末３００のユーザー等）がＭＦＰ２００の周辺に位置すること、および／または、情報端末３００に関連付けられた対象がＭＦＰ２００を操作したことを検知する場合もある。
【００６６】
認証部３９７は、ユーザーおよび／または外部の機器を認証するための処理を実行し、たとえば、ＣＰＵ３０１によって実現される。
【００６７】
＜６．処理の流れ＞
図８は、情報端末３００において、ＭＦＰ情報を通話相手に送信するために実行される処理の一例のフローチャートである。図８の処理は、たとえば、通話の開始時に実行される。図８の処理は、たとえば、情報端末３００にインストールされている通話用のアプリケーションプログラムの一部として実現される。図８の処理は、通話用アプリケーションとは別のアプリケーションのプログラムによって実現されてもよい。
【００６８】
図８に示されるように、ステップＳ１０で、ＣＰＵ３０１は、情報端末３００の周辺のＭＦＰ２００からＭＦＰ情報を取得する。たとえば、ＭＦＰ２００がＢｌｕｅｔｏｏｔｈビーコンでＭＦＰ情報を送信し、ＣＰＵ３０１は、当該ＭＦＰ情報を受信部３９３が受信することにより、ＭＦＰ情報を取得する。その後、制御はステップＳ１２へ進む。
【００６９】
ステップＳ１０では、ＣＰＵ３０１は、ユーザーが情報端末３００に対して手動で入力することによって、ＭＦＰ情報を取得してもよい。ＣＰＵ３０１は、サーバー等の他の装置に、情報端末３００の周辺に位置するＭＦＰ２００のＭＦＰ情報を要求し、当該要求に対する返信として送信されたＭＦＰ情報を受信することによって、ＭＦＰ情報を取得してもよい。
【００７０】
ステップＳ１２で、ＣＰＵ３０１は、ステップＳ１０で取得したＭＦＰ情報を、通話の相手へ送信する。たとえば、図１に示された例では、第１の情報端末３００Ａの通話の相手は、第２の情報端末３００Ｂである。第２の情報端末３００Ｂの通話の相手は、第１の情報端末３００Ａである。その後、図８の処理は、終了する。
【００７１】
第１の実施の形態の画像処理システムでは、情報端末３００のＣＰＵ３０１は、通話の相手からＭＦＰ情報を受信すると、当該情報端末３００の周辺に位置するＭＦＰ２００に、当該ＭＦＰ情報を送信する。
【００７２】
情報端末３００からＭＦＰ情報を受信すると、ＭＦＰ２００のＣＰＵ２０１は、当該ＭＦＰ情報に含まれる宛先を、データの送信先の候補として、記憶装置２０５に登録する。その後、ＭＦＰ２００では、コピーの指示が入力されると、ＣＰＵ２０１は、図３に示されたように、当該コピーにおいて生成されるデータの出力先の候補として、上記のように登録された宛先を表示する。
【００７３】
以上説明された第１の実施の形態では、たとえば、第２の空間ＳＰ２に位置する第２の情報端末３００Ｂと第２のＭＦＰ２００Ｂとによって、画像処理システムが構成される。
【００７４】
第２の情報端末３００Ｂの通話部３９１は、第１の情報端末３００Ａと通話する。受信部３９３は、第１の情報端末３００Ａから、当該第１の情報端末３００Ａの周辺に位置するＭＦＰ２００の宛先を含むＭＦＰ情報を受信する。転送部３９４は、第１の情報端末３００Ａの周辺に位置するＭＦＰ２００のＭＦＰ情報を、第２の情報端末３００Ｂの周辺に位置する第２のＭＦＰ２００Ｂに転送する。
【００７５】
第２のＭＦＰ２００Ｂでは、図３に示されたように、表示部２９２は、第１のＭＦＰ２００Ａをデータの送信先の候補として表示する。第２の情報端末３００Ｂにおいて、転送部３９４は、たとえば、通話部３９１が第１の情報端末３００Ａとの通信経路を確立させたときに、第１のＭＦＰ情報を、第２のＭＦＰ２００Ｂに転送する。
【００７６】
［第２の実施の形態］
第２の実施の形態の画像処理システムの構成は、第１の実施の形態と同様であってもよい。ＭＦＰ２００のハードウェア構成および機能的構成は、第１の実施の形態と同様であっても良い。情報端末３００のハードウェア構成および機能的構成は、第１の実施の形態と同様であっても良い。
【００７７】
第１の実施の形態では、情報端末３００のＣＰＵ３０１は、図８を参照して説明されたように、通話の開始時に、通話相手にＭＦＰ情報を送信した。第２の実施の形態では、ＣＰＵ３０１は、通話の開始時に加えて、または、通話の開始時の代わりに、情報端末３００がＭＦＰ２００の周辺に位置していることを検知したときに、通話相手にＭＦＰ情報を送信する。
【００７８】
図９は、図８の処理の変形例のフローチャートである。図９に示されるように、第２の実施の形態では、ＣＰＵ３０１は、通話の開始後、ステップＳ０１で、情報端末３００がＭＦＰ２００に近寄ったか否かを判断する。ＣＰＵ３０１は、たとえばＭＦＰ２００からのＢｌｕｅｔｏｏｔｈビーコンを検知した場合、ＭＦＰ２００に近寄ったと判断する。ＣＰＵ３０１は、情報端末３００がＭＦＰ２００に近寄ったことを検知したことを条件として（ステップＳ０１でＹＥＳ）、ステップＳ１０へ制御を進める。
【００７９】
その後、ＣＰＵ３０１は、ステップＳ１０で、情報端末３００の周辺に位置するＭＦＰ２００からＭＦＰ情報を取得し、ステップＳ２０で、当該ＭＦＰ情報を通話相手に送信する。
【００８０】
第２の実施の形態では、情報端末３００がＭＦＰ２００に近寄ったことが、情報端末３００がＭＦＰ２００の「周辺に」位置することの一例である。
【００８１】
図９に示された処理によれば、第２の実施の形態の情報端末３００は、ＭＦＰ２００の周辺に位置したことを条件として、通話相手にＭＦＰ情報を送信する。第２の実施の形態において、情報端末３００は、さらに、通話の開始時（通話アプリケーションの実行のために通信経路が確立されたとき）に、通話相手に、ＭＦＰ情報を送信してもよい。上記条件の一例は、情報端末３００がＭＦＰ２００と通信可能な範囲に入ったことであり、他の例は、情報端末３００が予め定められた範囲に入ったことである。
【００８２】
［第３の実施の形態］
第３の実施の形態の画像処理システムの構成は、第１の実施の形態と同様であってもよい。ＭＦＰ２００のハードウェア構成および機能的構成は、第１の実施の形態と同様であっても良い。情報端末３００のハードウェア構成および機能的構成は、第１の実施の形態と同様であっても良い。
【００８３】
第３の実施の形態では、情報端末３００のＣＰＵ３０１は、通話の開始時に加えて、または、通話の開始時の代わりに、情報端末３００に関連付けられたユーザーがＭＦＰ２００の周辺に位置していることを検知したことを条件として、通話相手にＭＦＰ情報を送信する。
【００８４】
第３の実施の形態では、ＭＦＰ２００は、ユーザーを検知するための要素の一例として、人感センサーを備える。各ユーザーは、ＩＣタグを携帯する。ＩＣタグは、ユーザーごとのＩＤを格納する。ＩＣタグがＭＦＰ２００の周辺に位置することによってＭＦＰ２００の人感センサーがＩＣタグを検知すると、ＭＦＰ２００のＣＰＵ２０１は、ＩＣタグに格納されるＩＤを読み取り、当該ＩＤをＢｌｕｅｔｏｏｔｈビーコンで発信する。
【００８５】
情報端末３００のＣＰＵ３０１は、ＭＦＰ２００から発信されるＢｌｕｅｔｏｏｔｈビーコンに含まれるＩＤが、記憶装置３０３に格納される情報端末３００のユーザーのＩＤと一致するか否かを判断する。ＣＰＵ３０１は、Ｂｌｕｅｔｏｏｔｈビーコンに含まれるＩＤが情報端末３００のユーザーのＩＤと一致すると判断すると、通話相手に、Ｂｌｕｅｔｏｏｔｈビーコンの送信元であるＭＦＰ２００のＭＦＰ情報を送信する。
【００８６】
第３の実施の形態において、ＩＣタグおよびＢｌｕｅｔｏｏｔｈビーコンを用いたシステムは、ユーザーの検知態様の単なる一例である。ユーザーがＭＦＰ２００の周辺に位置することは、他の態様で検知されてもよい。
【００８７】
第３の実施の形態において、情報端末３００のユーザーは、情報端末３００に関連付けられた対象の一例である。
【００８８】
情報端末３００に関連付けられた対象は、情報端末３００のユーザーの部下など、情報端末３００のユーザー以外の者であってもよい。この場合、図１および図２を参照して説明された画像処理システムでは、第１の情報端末３００Ａは、第１のユーザー１００Ａの部下が第１のＭＦＰ２００Ａに近づいたことに応じて、第２のＭＦＰ２００Ｂへ、第１のＭＦＰ情報を送信する。第１のユーザー１００Ａは、第２のユーザー１００Ｂが第２のＭＦＰ２００Ｂから第１のＭＦＰ２００Ａへデータを送信した場合、第１のＭＦＰ２００Ａは当該データを出力し、上記の部下は、第１のＭＦＰ２００Ａにおいて出力されたデータ（たとえば、データを印刷された用紙）を第１のユーザー１００Ａへ届ける。さらに、情報端末３００に関連付けられた「対象」は、人物である必要はない。情報端末３００のユーザーが所有するロボット等、当該ユーザーに関連付けられた機器であってもよい。
【００８９】
［第４の実施の形態］
第４の実施の形態の画像処理システムの構成は、第１の実施の形態と同様であってもよい。ＭＦＰ２００のハードウェア構成および機能的構成は、第１の実施の形態と同様であっても良い。情報端末３００のハードウェア構成および機能的構成は、第１の実施の形態と同様であっても良い。
【００９０】
第４の実施の形態では、ＣＰＵ３０１は、通話の開始時に加えて、または、通話の開始時の代わりに、情報端末３００に関連付けられたユーザーがＭＦＰ２００を操作したことを検知したときに、ＭＦＰ２００にＭＦＰ情報を送信する。
【００９１】
第４の実施の形態では、ＭＦＰ２００は、操作にユーザー認証が不要なパブリックモードと、操作にユーザー認証が必要な非パブリックモードとで動作する。ＭＦＰ２００のＣＰＵ２０１は、非パブリックモードでユーザーを認証すると、当該ユーザーのＩＤをＢｌｕｅｔｏｏｔｈビーコンで発信する。
【００９２】
情報端末３００のＣＰＵ３０１は、ＭＦＰ２００から発信されるＢｌｕｅｔｏｏｔｈビーコンに含まれるＩＤが、記憶装置３０３に格納される情報端末３００のユーザーのＩＤと一致するか否かを判断する。ＣＰＵ３０１は、Ｂｌｕｅｔｏｏｔｈビーコンに含まれるＩＤが情報端末３００のユーザーのＩＤと一致すると判断すると、通話相手の情報端末３００へ、Ｂｌｕｅｔｏｏｔｈビーコンの送信元であるＭＦＰ２００から受信したＭＦＰ情報を送信する。
【００９３】
第４の実施の形態において、情報端末３００のユーザーは、情報端末３００に関連付けられた対象の一例である。情報端末３００に関連付けられた対象は、情報端末３００のユーザー以外の者であってもよいし、情報端末３００のユーザーに関連付けられた機器であっても良い。
【００９４】
［第５の実施の形態］
第５の実施の形態の画像処理システムの構成は、第１の実施の形態と同様であってもよい。ＭＦＰ２００のハードウェア構成および機能的構成は、第１の実施の形態と同様であっても良い。情報端末３００のハードウェア構成および機能的構成は、第１の実施の形態と同様であっても良い。
【００９５】
第５の実施の形態では、ＣＰＵ３０１は、情報端末３００においてユーザーが明示的な操作をしたことを条件として、通話相手にＭＦＰ情報を送信する。
【００９６】
図１０は、図８の処理の変形例のフローチャートである。図１０に示された処理では、ＣＰＵ３０１は、通話中、ステップＳ０２で、ＭＦＰ情報送信ボタンが操作されたか否かを判断する。ＭＦＰ情報送信ボタンは、情報端末３００において通話中に表示されるボタンの一例である。図１１は、情報端末３００において、通話中に表示される画面の一例を示す図である。
【００９７】
ＣＰＵ３０１は、通話中、ディスプレイ３０６に、たとえば図１１の画面３５０を表示する。画面３５０は、通話相手の名称（図１１中の「Ａさん」）とともに、ＭＦＰ情報送信ボタン３５１を表示する。ＭＦＰ情報送信ボタン３５１は、ＭＦＰ情報を取得し、当該ＭＦＰ情報を通話相手に送信することを指示するために操作される。
【００９８】
第５の実施の形態では、ＭＦＰ情報送信ボタン３５１の操作という明示的な指示に応じて、情報端末３００は、通話相手に、ＭＦＰ情報を送信する。
【００９９】
［第６の実施の形態］
＜１．画像処理システムの概要＞
第６の実施の形態では、ＭＦＰ２００のハードウェア構成および情報端末３００のハードウェア構成は、第１の実施の形態と同様であっても良い。
【０１００】
第６の実施の形態の画像処理システムでは、１台の情報端末３００の周辺に２台以上のＭＦＰ２００が存在する。図１２は、第６の実施の形態の画像処理システムの概略的な構成の一例を示す図である。図１２に示された画像処理システムでは、第１の空間ＳＰ１に、情報端末３００−Ａと、Ｎ台のＭＦＰ２００−Ａ１〜２００−ＡＮとが存在する。第２の空間ＳＰ２に、情報端末３００−Ｂと、Ｍ台のＭＦＰ２００−Ｂ１〜２００−ＢＭとが存在する。
【０１０１】
第６の実施の形態では、情報端末３００（たとえば、情報端末３００−Ａ）は、当該情報端末３００の周辺に位置する複数台のＭＦＰ２００（ＭＦＰ２００−Ａ１〜２００−ＡＮの中の少なくとも１台）のＭＦＰ情報を、通話相手（たとえば、情報端末３００−Ｂ）へ送信する。情報端末３００（たとえば、情報端末３００−Ｂ）は、複数台のＭＦＰ２００のＭＦＰ情報をＭＦＰ２００（ＭＦＰ２００−Ｂ１〜２００−ＢＭの中の少なくとも１台）へ転送する。
【０１０２】
転送されるＭＦＰ情報は、優先順位を含む。複数台のＭＦＰのＭＦＰ情報を受信したＭＦＰ２００（ＭＦＰ２００−Ｂ１〜２００−ＢＭの中の少なくとも１台）は、原稿のコピーを指示されると、コピーされた画像の出力先として、それぞれのＭＦＰ情報に対応するＭＦＰを、優先順位に従った態様で、表示する。
【０１０３】
第６の実施の形態に従うと、図１２に示された画像処理システムでは、たとえば、情報端末３００−Ａは、ＭＦＰ２００−Ａ１〜２００−ＡＮに対して優先順位を設定し、情報端末３００−Ｂへ、当該優先順位を送信する。情報端末３００−Ｂは、たとえばＭＦＰ２００−Ｂ１に、情報端末３００−Ａから受信した優先順位を転送する。ＭＦＰ２００−Ｂ１は、原稿のコピーを指示されると、コピーされた画像の出力先として、ＭＦＰ２００−Ａ１〜２００−ＡＮのそれぞれを、それぞれの優先順位に従った態様で表示する。
【０１０４】
＜２．ＭＦＰ２００の機能的構成＞
図１３は、第６の実施の形態のＭＦＰ２００の機能的構成の一例を示す図である。図６に示された構成と比較して、第６の実施の形態のＭＦＰ２００は、優先順位処理部２９６をさらに含む。
【０１０５】
優先順位処理部２９６は、複数のＭＦＰ２００についてのＭＦＰ情報を受信した場合、画像の送信先の候補として、各ＭＦＰ２００を、その優先順位に従った態様で表示する。優先順位処理部２９６は、たとえばＣＰＵ２０１によって実現される。
【０１０６】
図１４は、第６の実施の形態において、ＭＦＰ情報を受信したＭＦＰ２００が表示する画面の一例を示す図である。第６の実施の形態の画像処理システムでは、たとえば、情報端末３００−Ａは、ＭＦＰ２００−Ａ１およびＭＦＰ２００−Ａ２のそれぞれからＭＦＰ情報を取得し、これらのＭＦＰ情報を情報端末３００−Ｂへ送信する。情報端末３００−Ｂは、情報端末３００−Ａから送信されたＭＦＰ情報をＭＦＰ２００−Ｂ１へ転送する。ＭＦＰ２００−Ｂ１は、原稿のコピーを指示されると、コピーの画像の出力先の候補として、ＭＦＰ２００−Ｂ１に加えて、ＭＦＰ２００−Ａ１およびＭＦＰ２００−Ａ２を表示する。
【０１０７】
図１４の画面９９０の表示欄９０５は、出力先の候補として、「ＭＦＰ２００−Ｂ１」を示すボタン９９１と、「ＭＦＰ２００−Ａ１」を示すボタン９９２と、「ＭＦＰ２００−Ａ２」を示すボタン９９３とを表示する。ボタン９９１は、当該ボタン９９１を表示しているＭＦＰ２００−Ｂ１自体を示す。このため、ボタン９９１は、「本ＭＦＰ」という文字列を含む。
【０１０８】
第６の実施の形態では、情報端末３００−Ｂにおいて、ＭＦＰ２００−Ａ１は、ＭＦＰ２００−Ａ２よりも優先順位が高い。このことは、画面９９０が、「ＭＦＰ２００−Ａ１」を示すボタン９９２を、「ＭＦＰ２００−Ａ２」を示すボタン９９３よりも上方に表示していることによって、示されている。
【０１０９】
＜３．情報端末３００の機能的構成＞
図１５は、第６の実施の形態の情報端末３００の機能的構成の一例を示す図である。図７に示された構成と比較して、第６の実施の形態の情報端末３００は、優先順位調整部３９８を含む。優先順位調整部３９８は、２台以上のＭＦＰ２００のそれぞれのＭＦＰ情報を取得したときに、各ＭＦＰ２００に対して優先順位を設定する。
【０１１０】
優先順位調整部３９８は、たとえば、情報端末３００と各ＭＦＰ２００との距離に従って、優先順位を設定する。一例では、優先順位調整部３９８は、情報端末３００から近いＭＦＰ２００に対して、より高い優先順位を設定する。
【０１１１】
優先順位調整部３９８は、情報端末３００のユーザーの利用頻度に従って、複数台のＭＦＰ２００のそれぞれに対して優先順位を設定してもよい。一例では、情報端末３００と複数台のＭＦＰ２００とを含むネットワーク上のサーバーが、各ユーザーが各ＭＦＰ２００にログインした回数を記憶する。優先順位調整部３９８は、情報端末３００に関連付けられているユーザー（たとえば、当該情報端末３００の所有者）が各ＭＦＰ２００にログインした回数を上記サーバーから取得し、ログインした回数が多いＭＦＰ２００に対して、より高い優先順位を設定する。
【０１１２】
情報端末３００は、距離と利用頻度等の複数の条件を組合せることによって、各ＭＦＰ２００に対して優先順位を設定してもよい。
【０１１３】
＜４．処理の流れ＞
図１６は、第６の実施の形態の情報端末３００において実行される処理の一例のフローチャートである。
【０１１４】
図１６に記載の処理は、図８に記載の処理と比較して、ステップＳ１１の制御をさらに含む。すなわち、図１６の処理では、ＣＰＵ３０１は、ステップＳ１０で、（２台以上のＭＦＰ２００のそれぞれから）ＭＦＰ情報を取得した後、ステップＳ１１へ制御を進める。
【０１１５】
ステップＳ１１で、ＣＰＵ３０１は、ステップＳ１０で取得したＭＦＰ情報のそれぞれに優先順位を設定する。より具体的には、ＣＰＵ３０１は、ステップＳ１０でＭＦＰ情報を取得した２台以上のＭＦＰ２００のそれぞれに優先順位を設定する。その後、制御はステップＳ１２へ進む。
【０１１６】
ステップＳ１２で、ＣＰＵ３０１は、通話相手へ、複数のＭＦＰ情報のそれぞれを、各ＭＦＰ情報が対応するＭＦＰ２００に対して設定された優先順位とともに送信する。その後、図１６の処理は終了する。
【０１１７】
以上説明された第６の実施の形態では、情報端末３００−Ｂは、通話相手の情報端末３００−Ａから２台以上のＭＦＰ（ＭＦＰ２００−Ａ１，２００−Ａ２）のＭＦＰ情報を取得した場合、ＭＦＰ２００−Ｂに、ＭＦＰ情報を転送し、さらに、それぞれのＭＦＰ情報に対応する優先順位を特定する情報を送信する。ＭＦＰ２００−Ｂは、図１４を参照して説明されたように、コピーを指示されると、コピーの画像の出力先の候補として、ＭＦＰ２００−Ｂとともに、情報端末３００−Ｂから送信されたＭＦＰ情報によって特定されるＭＦＰ（ＭＦＰ２００−Ａ１，２００−Ａ２）を表示する。候補としてのＭＦＰの表示態様は、各ＭＦＰに対して設定された優先順位に対応していてもよい。
【０１１８】
＜５．変形例＞
第６の実施の形態では、情報端末３００−Ａは、複数のＭＦＰ（ＭＦＰ２００−Ａ１，２００−Ａ２）からＭＦＰ情報を取得すると、それぞれのＭＦＰとの距離等に基づいて複数のＭＦＰのそれぞれに優先順位を設定し、ＭＦＰ情報および優先順位を通話相手（情報端末３００−Ｂ）へ送信した。優先順位を設定するのは、ＭＦＰ情報を送信される側の情報端末３００−Ｂであってもよい。
【０１１９】
この場合、情報端末３００−ＡがＭＦＰ情報を情報端末３００−Ｂに送信すると、情報端末３００−Ｂは、優先順位を設定するための情報を取得する。優先順位を設定するための情報の一例は、情報端末３００−Ａから送信される、情報端末３００−Ａと各ＭＦＰとの距離を特定する情報（たとえば、ＭＦＰから送信された信号の電波強度等）である。他の例は、サーバーに格納される、情報端末３００−Ａと各ＭＦＰの位置情報である。さらに他の例は、サーバーに格納される、情報端末３００−Ａのユーザーが各ＭＦＰにログインした回数である。情報端末３００−Ｂは、当該情報を用いて、情報端末３００−Ａから送信された複数のＭＦＰ情報のそれぞれに対応するＭＦＰに対して優先順位を設定する。情報端末３００−Ｂは、ＭＦＰ２００−Ｂ１に、情報端末３００−Ａから送信されたＭＦＰ情報を転送し、各ＭＦＰに対して設定された優先順位を送信する。
【０１２０】
［第７の実施の形態］
第７の実施の形態の画像処理システムの構成は、第６の実施の形態と同様であってもよい。ＭＦＰ２００のハードウェア構成および機能的構成は、第６の実施の形態と同様であっても良い。情報端末３００のハードウェア構成および機能的構成は、第６の実施の形態と同様であっても良い。
【０１２１】
第７の実施の形態の画像処理システムでは、ＭＦＰ２００は、ＭＦＰ情報を受信すると、それぞれのＭＦＰ情報によって特定されるＭＦＰ２００の優先順位を、それぞれのＭＦＰ情報によって特定されるＭＦＰ２００において取り扱われる画像のフォーマットに基づいて調整する。すなわち、ＭＦＰ２００は、それぞれのＭＦＰ情報によって特定されるＭＦＰ２００のうち、当該ＭＦＰ２００が取り扱う画像フォーマットと同じ画像フォーマットを取り扱うことができるＭＦＰ２００の優先順位が、当該画像フォーマットを取り扱うことができないＭＦＰ２００の優先順位よりも高くなるように、優先順位を調整する。その後、ＭＦＰ２００は、それぞれのＭＦＰ情報によって特定されるＭＦＰ２００を画像の出力先としての表示に、調整後の優先順位を反映させる。
【０１２２】
第７の実施の形態に従うと、図１２に示された画像処理システムでは、たとえば、情報端末３００−Ａは、ＭＦＰ２００−Ａ１〜２００−ＡＮに対して優先順位を設定し、情報端末３００−Ｂへ、当該優先順位を送信する。情報端末３００−Ｂは、たとえばＭＦＰ２００−Ｂ１に、情報端末３００−Ａから受信した優先順位を転送する。ＭＦＰ２００−Ｂ１は、情報端末３００−Ｂから受信した優先順位を、ＭＦＰ２００−Ｂ１が取り扱うことができる画像フォーマットの種類に従って調整する。より具体的には、ＭＦＰ２００−Ｂ１は、ＭＦＰ２００−Ａ１〜２００−ＡＮのうち、ＭＦＰ２００−Ｂ１が取り扱うことができる画像フォーマットの種類と同じ種類の画像フォーマットを取り扱うことができるＭＦＰの優先順位が、ＭＦＰ２００−Ｂ１が取り扱うことができる画像フォーマットの種類と同じ種類の画像フォーマットを取り扱うことができないＭＦＰの優先順位よりも高くなるように、優先順位を調整する。その後、ＭＦＰ２００−Ｂ１は、原稿のコピーを指示されると、コピーされた画像の出力先として、ＭＦＰ２００−Ａ１〜２００−ＡＮのそれぞれを、それぞれの優先順位に従った態様で表示する。
【０１２３】
図１７は、第７の実施の形態のＭＦＰ２００において、情報端末３００からＭＦＰ情報が送信されたときに実行される処理の一例のフローチャートである。
【０１２４】
図１７に示されるように、情報端末３００からＭＦＰ情報を受信すると、ステップＳ２０で、ＭＦＰ２００のＣＰＵ２０１は、情報端末３００から送信されたＭＦＰ情報のそれぞれによって特定されるＭＦＰ２００について、当該ＭＦＰ２００において取り扱われる画像のフォーマットを解析する。ＣＰＵ２０１は、たとえば、ネットワークのサーバーに照会することにより、ＭＦＰ情報からＭＦＰ２００の機種を特定し、当該機種において取り扱われる画像のフォーマットを特定する。ＭＦＰが取り扱うことができる画像のフォーマットの種類は、ＭＦＰ情報において記述されていてもよい。この場合、ＣＰＵ２０１は、ＭＦＰ２００のＭＦＰ情報に基づいて、当該ＭＦＰ２００において取り扱われる画像のフォーマットを特定する。その後、制御はステップＳ２２へ進む。
【０１２５】
ステップＳ２２で、ＣＰＵ２０１は、情報端末３００から送信された各ＭＦＰ２００の優先順位を、各ＭＦＰ２００において取り扱われる画像のフォーマットに基づいて調整する。ＣＰＵ２０１は、たとえば、当該ＣＰＵ２０１が搭載されるＭＦＰ２００において取り扱われる画像フォーマットと同じ画像フォーマットを取り扱うことができるＭＦＰ２００の優先順位が、当該画像フォーマットを取り扱うことができないＭＦＰ２００の優先順位よりも高くなるように、優先順位を調整する。その後、制御はステップＳ２４へ進む。
【０１２６】
ステップＳ２４で、ＣＰＵ２０１は、ステップＳ２２における調整後の優先順位に従って、情報端末３００から送信されたＭＦＰ情報のそれぞれに対応するＭＦＰ２００を画像の出力先の候補として表示する。これにより、図１７の処理は終了する。
【０１２７】
その後、ＣＰＵ２０１は、出力先の指定を受け付ける。ＣＰＵ２０１は、出力先として指定されたＭＦＰ２００に、コピーにおいて生成された原稿の画像を送信する。ただし、ＣＰＵ２０１は、出力先として指定されたＭＦＰ２００が、当該ＣＰＵ２０１が搭載されているＭＦＰ２００が取り扱う画像フォーマットを取り扱わない場合、出力先として指定されたＭＦＰ２００に当該画像を送信しない。その代わりに、ＣＰＵ２０１は、当該ＣＰＵ２０１が搭載されているＭＦＰ２００にＭＦＰ情報を送信してきた情報端末３００に、画像フォーマットの変換の指示とともに、上記画像を送信する。
【０１２８】
上記指示と上記画像とを受信した情報端末３００では、ＣＰＵ３０１は、上記画像を、出力先として指定されたＭＦＰ２００において取り扱われるフォーマットへ変換する。その後、ＣＰＵ３０１は、変換後の画像を、出力先として指定されたＭＦＰ２００へ送信する。ＣＰＵ３０１は、変換後の画像を、通話相手の情報端末３００を経由して、出力先として指定されたＭＦＰ２００へ送信しても良い。
【０１２９】
今回開示された各実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。また、実施の形態および各変形例において説明された発明は、可能な限り、単独でも、組合わせても、実施することが意図される。
【符号の説明】
【０１３０】
１００Ａ  第１のユーザー、１００Ｂ  第２のユーザー、２００  ＭＦＰ、２００Ａ  第１のＭＦＰ、２００Ｂ  第２のＭＦＰ、２０１，３０１  ＣＰＵ、３００  情報端末、３００Ａ  第１の情報端末、３００Ｂ  第２の情報端末。
【図１】
0006693167.tif 000002
【図２】
0006693167.tif 000003
【図３】
0006693167.tif 000004
【図４】
0006693167.tif 000005
【図５】
0006693167.tif 000006
【図６】
0006693167.tif 000007
【図７】
0006693167.tif 000008
【図８】
0006693167.tif 000009
【図９】
0006693167.tif 000010
【図１０】
0006693167.tif 000011
【図１１】
0006693167.tif 000012
【図１２】
0006693167.tif 000013
【図１３】
0006693167.tif 000014
【図１４】
0006693167.tif 000015
【図１５】
0006693167.tif 000016
【図１６】
0006693167.tif 000017
【図１７】
0006693167.tif 000018